(57)【要約】【課題】  装着できるパネルの厚み範囲が広いグロメットを提供する。【解決手段】  パネル１０の取付孔１１内に嵌合される嵌合部４と、この嵌合部４の両側にそれぞれ設けられ、取付孔１１より大径で、パネル１０の取付孔１１の外周箇所を挟み込む第１挟持部５及び第２挟持部６と、これら嵌合部４と第１挟持部５及び第２挟持部６の内周側を貫通する電線挿通孔７とを備え、第１挟持部５を縮径させつつ取付孔１１内に挿入することによってパネル１０に装着されるようにしたグロメット１Ａにおいて、嵌合部４は、蛇腹形状であり、第１挟持部５と第２挟持部６の間を離間する方向に引っ張り力を受けると、嵌合部４の蛇腹形状の部分４ａの伸長変形によって幅寸法Ｄを可変自在にした。【選択図】      図２
2006120413.tif 000002
【特許請求の範囲】
【請求項１】
パネルの取付孔内に嵌合される嵌合部と、この嵌合部の両側にそれぞれ設けられ、前記取付孔より大径で、前記パネルの取付孔の外周箇所を挟み込む第１挟持部及び第２挟持部と、これら嵌合部と第１挟持部及び第２挟持部の内周側を貫通する電線挿通孔とを備え、前記第１及び第２挟持部のいずれか一方を縮径させつつ前記取付孔内に挿入することによって前記パネルに装着されるようにしたグロメットにおいて、
前記嵌合部は、前記第１挟持部と前記第２挟持部の間を離間する方向に引っ張り力を受けると、弾性変形によって幅寸法を可変自在に設けられたことを特徴とするグロメット。
【請求項２】
請求項１記載のグロメットであって、
前記嵌合部は蛇腹形状を有し、この蛇腹形状の部分の伸長変形によって幅寸法を可変自在にしたことを特徴とするグロメット。
【請求項３】
請求項１記載のグロメットであって、
前記嵌合部は薄肉形状に形成され、この薄肉形状の部分の伸び変形によって幅寸法を可変自在にしたことを特徴とするグロメット。
【発明の詳細な説明】
【技術分野】
【０００１】
本発明は、電線を貫通させるパネルの取付孔の周辺に装着し、パネルの防水等を行うためのグロメットに関する。
【背景技術】
【０００２】
この種の従来のグロメットとして、図８に示すものがある（例えば特許文献１参照）。
【０００３】
このグロメット１００は、図８に示すように、内部に電線挿通孔１０１を有する電線保持部１０２と、この電線保持部１０２の一端よりテーパ折り返し部１０３を介して連結された大径のパネル装着部１０４とを備え、このパネル装着部１０４の内周側を電線保持部１０２の電線挿通孔１０１が貫通している。
【０００４】
パネル装着部１０４は、パネル１１０の取付孔１１１に嵌合される嵌合部１０５と、この嵌合部１０５の両側にそれぞれ設けられ、取付孔１１１より大径で、且つ、パネル１１０の取付孔１１１の外周箇所を挟み込む第１挟持部１０６及び第２挟持部１０７とから構成されている。第１挟持部１０６に対向する第２挟持部１０７の面には、内周側の同心円上に高さの低い低リング突起１０８が、外周側の同心円上に高さの高い高リング突起１０９がそれぞれ突設されている。
【０００５】
次に、グロメット１００のパネル１１０への装着作業を説明する。先ず、グロメット１００の第１挟持部１０６側を先頭としてパネル１１０の取付孔１１１に圧入すると、第１挟持部１０６が圧縮変形で縮径することによって取付孔１１１内に挿入される。第１挟持部１０６が取付孔１１１内を完全に抜けると、次に嵌合部１０５が取付孔１１１内に嵌合される。取付孔１１１より完全に抜けた第１挟持部１０６は、直ちに弾性復帰変形して元の径に戻る。これにより、グロメット１００がパネル１１０の取付孔１１１の周辺箇所に装着される。
【０００６】
パネル１１０に装着されたグロメット１００は、パネル１１０の取付孔１１１の内周面に嵌合部１０５が密着し、パネル１１０の取付孔１１１の外周箇所を第１挟持部１０６と第２挟持部１０７の低リング突起１０８や高リング突起１０９が密着するため、水等がパネル１１０の取付孔１１１を介して浸入できない。
【０００７】
また、図９に示すように、パネル１１０の厚みが薄い寸法Ｔａの場合には、低リング突起１０８はパネル１１０に接触しないが、高リング突起１０９が適度に圧縮変形してパネル１１０に密着する。図１０に示すように、パネル１１０の厚みが厚い寸法Ｔｂの場合には、高リング突起１０９は過度に圧縮変形してパネル１１０に密着するが、低リング突起１０８が適度に圧縮変形してパネル１１０に密着する。以上より、グロメット１００は、厚みが異なるパネル１１０に対して装着できる。
【特許文献１】特開平１１−７８５５号公報
【発明の開示】
【発明が解決しようとする課題】
【０００８】
しかしながら、前記従来のグロメット１００では、第２挟持部１０７の面に突設された低リング突起１０８及び高リング突起１０９の圧縮変形を利用して厚みの異なるパネル１１０を装着するようになっており、高リング突起１０９の過度の圧縮変形時の高さと適度の圧縮変形時の高さとの高低差分しかパネル１１０の厚み変化に対応できないため、装着できるパネル１１０の厚みが非常に小さい範囲に限られるという問題があった。
【０００９】
そこで、本発明は、前記した課題を解決すべくなされたものであり、装着できるパネルの厚み範囲が広いグロメットを提供することを目的とする。
【課題を解決するための手段】
【００１０】
請求項１の発明は、パネルの取付孔内に嵌合される嵌合部と、この嵌合部の両側にそれぞれ設けられ、前記取付孔より大径で、前記パネルの取付孔の外周箇所を挟み込む第１挟持部及び第２挟持部と、これら嵌合部と第１挟持部及び第２挟持部の内周側を貫通する電線挿通孔とを備え、前記第１及び第２挟持部のいずれか一方を縮径させつつ前記取付孔内に挿入することによって前記パネルに装着されるようにしたグロメットにおいて、前記嵌合部は、前記第１挟持部と前記第２挟持部の間を離間する方向に引っ張り力を受けると、弾性変形によって幅寸法を可変自在に設けられたことを特徴とする。
【００１１】
請求項２の発明は、請求項１記載のグロメットであって、前記嵌合部は蛇腹形状を有し、この蛇腹形状の部分の伸長変形によって幅寸法を可変自在にしたことを特徴とする。
【００１２】
請求項３の発明は、請求項１記載のグロメットであって、前記嵌合部は薄肉形状に形成され、この薄肉形状の部分の伸び変形によって幅寸法を可変自在にしたことを特徴とする。
【発明の効果】
【００１３】
請求項１の発明によれば、嵌合部の幅方向に弾性変形できる範囲についてパネルの厚み変化に対応できるため、装着できるパネルの厚み範囲が広い。
【００１４】
請求項２の発明によれば、蛇腹形状は収縮状態を自然長とした場合に収縮状態に対して伸長状態の長さ変化が大きいため、装着できるパネルの厚さ範囲をより広くできる。
【００１５】
請求項３の発明によれば、嵌合部の形状が単純であるため、グロメットの製造が容易である。
【発明を実施するための最良の形態】
【００１６】
以下、本発明の実施形態を図面に基づいて説明する。
【００１７】
図１〜図４は本発明の第１実施形態を示し、図１はグロメットの斜視図、図２はグロメットの全体断面図、図３は薄肉のパネルに装着した場合のグロメットの要部の拡大断面図、図４は厚肉のパネルに装着した場合のグロメットの要部の拡大断面図である。
【００１８】
図１及び図２に示すように、グロメット１Ａは、円筒状の電線保持部２と、この電線保持部２の一端に連結されたパネル装着部３とから弾性変形可能なゴム材にて形成されている。
【００１９】
パネル装着部３は、パネル１０，１０′の各取付孔１１に嵌合される嵌合部４と、この嵌合部４の両側にそれぞれ設けられ、取付孔１１より大径で、且つ、パネル１０，１０′の各取付孔１１の外周箇所を挟み込む第１挟持部５及び第２挟持部６とを備えている。
【００２０】
パネル装着部３と電線保持部２の内部には電線挿通孔７が形成されている。この電線挿通孔７は、パネル装着部３内の箇所が大径に、電線保持部２内の箇所が小径にそれぞれ形成されている。
【００２１】
図２に示すように、嵌合部４はストレートな形状ではなく蛇腹形状に形成されている。この嵌合部４は、第１挟持部５と第２挟持部６の間を離間する方向に引っ張り力を受けると、該嵌合部４の蛇腹形状の部分４ａが伸長形状に弾性変形することによって幅寸法Ｄを可変できるようになっている。
【００２２】
第２挟持部６の第１挟持部５に対向する面で、且つ、外縁箇所には、全周囲に亘って舌状突起６ａが突設されている。第２挟持部６は、舌状突起６ａの箇所でパネル１０に確実に密着するようになっている。
【００２３】
次に、グロメット１Ａのパネル１０，１０′への装着作業を説明する。
【００２４】
先ず、図２に示すように、グロメット１Ａの第１挟持部５を先頭として薄肉のパネル１０の取付孔１１に圧入すると、第１挟持部５が圧縮変形で縮径することによって薄肉のパネル１０の取付孔１１内に挿入される。第１挟持部５が取付孔１１内を抜けると、次に嵌合部４が取付孔１１内に嵌合される。そして、第２挟持部６がパネル１０の取付孔１１の外周箇所に突き当たるまで挿入する。第１挟持部５は、パネル１０の取付孔１１より完全に抜けた時点で直ちに弾性復帰変形して元の径に戻る。これにより、グロメット１Ａが薄肉のパネル１０の取付孔１１の外周箇所に装着される。
【００２５】
薄肉のパネル１０に装着されたグロメット１Ａは、該パネル１０の取付孔１１の内周面に嵌合部４が密着し、パネル１０の取付孔１１の外周箇所に第２挟持部６（特に第２挟持部６の舌状突起６ａ）が密着するため、水等がパネル１０の取付孔１１を介して浸入できない。
【００２６】
上記装着過程にあって、図３に示すように、パネル１０の厚みＴａがグロメット１Ａの嵌合部４の幅Ｄと同じ程度の場合（薄肉の場合）には、嵌合部４の蛇腹形状の部分４ａが伸長変形することなく、グロメット１Ａの第１及び第２挟持部４，５が薄肉のパネル１０の取付孔１１の外周箇所を挟み込む。
【００２７】
また、図４に示すように、パネル１０′の厚みＴｂがグロメット１Ａの嵌合部４の幅Ｄより厚い場合（厚肉の場合）には、嵌合部４の蛇腹形状の部分４ａが伸長変形することによって、グロメット１Ａの第１及び第２挟持部５，６が厚肉のパネル１０′の取付孔１１の外周箇所を挟み込む。
【００２８】
このグロメット１Ａでは、嵌合部４の幅方向に弾性変形できる範囲について各パネル１０，１９′の厚み変化に対応できる。このため、装着できる各パネル１０，１０′の厚み範囲が広い。特に、この第１実施形態のように、嵌合部４が蛇腹形状の部分４ａを有し、収縮状態を自然長とした場合に収縮状態に対して伸長状態の長さ変化が大きいため、装着できる各パネル１０，１０′の厚さ範囲をより大きくできる。
【００２９】
図５〜図７は本発明の第２実施形態を示し、図５はグロメットの全体断面図、図６は薄肉のパネルに装着した場合のグロメットの要部の拡大断面図、図７は厚肉のパネルに装着した場合のグロメットの要部の拡大断面図である。
【００３０】
この第２実施形態のグロメット１Ｂは、第１実施形態のものと比較して、嵌合部１２の構成が相違する。即ち、図５に示すように、嵌合部１２は、伸び変形できる程度の薄肉ｔに形成されている。そして、嵌合部１２は、第１挟持部５と第２挟持部６の間を離間する方向に引っ張り力を受けると、嵌合部１２の薄肉形状の部分の容易な伸び変形によって幅寸法Ｄを可変できるようになっている。尚、この嵌合部１２は全体が薄肉形状になっている。また、他の構成は前記第１実施形態と同一であるため、同一構成部分に同一符号を付してその詳細な説明を省略する。
【００３１】
この第２実施形態のグロメット１Ｂにおいても、図６に示すように、パネル１０の厚みＴａがグロメット１Ｂの嵌合部１２の幅Ｄと同じ程度の場合（薄肉の場合）には、嵌合部１２の薄肉形状の部分を伸長変形させることなく、グロメット１Ｂの第１及び第２挟持部５，６が薄肉のパネル１０の取付孔１１の外周箇所を挟み込む。
【００３２】
また、図７に示すように、いパネル１０′の厚みＴｂがグロメット１Ｂの嵌合部１２の幅Ｄより厚い場合（厚肉の場合）には、嵌合部１２の薄肉形状の部分を伸び変形させることによって、グロメット１Ｂの第１及び第２挟持部５，６が厚肉のパネル１０′の取付孔１１の外周箇所を挟み込む。これにより、嵌合部１２の幅方向に弾性変形できる範囲について各パネル１０，１０′の厚み変化に対応できる。このため、装着できる各パネル１０，１０′の厚み範囲が広い。
【００３３】
この第２実施形態では、嵌合部１２の形状が単純であるため、グロメット１Ｂの製造が容易である。
【００３４】
尚、前記各実施形態では、グロメット１Ａ，１Ｂは、ゴム材にて形成されているが、ゴム材以外の弾性変形できる材質にて形成しても良いことは勿論である。また、嵌合部４，１２は蛇腹形状や薄肉形状によって弾性変形できるよう形成されているが、引っ張り力によって弾性変形できる形状であれば、前述以外の形状でも良いことは勿論である。
【図面の簡単な説明】
【００３５】
【図１】本発明の第１実施形態を示し、グロメットの斜視図である。
【図２】本発明の第１実施形態を示し、グロメットの全体断面図である。
【図３】本発明の第１実施形態を示し、薄肉のパネルに装着した場合のグロメットの要部の拡大断面図である。
【図４】本発明の第１実施形態を示し、厚肉のパネルに装着した場合のグロメットの要部の拡大断面図である。
【図５】本発明の第２実施形態を示し、グロメットの全体断面図である。
【図６】本発明の第２実施形態を示し、薄肉のパネルに装着した場合のグロメットの要部の拡大断面図である。
【図７】本発明の第２実施形態を示し、厚肉のパネルに装着した場合のグロメットの要部の拡大断面図である。
【図８】従来例のグロメットの全体断面図である。
【図９】従来例のグロメットを薄いパネルに装着した場合の要部の拡大断面図である。
【図１０】従来例のグロメットを厚いパネルに装着した場合の要部の拡大断面図である。
【符号の説明】
【００３６】
１Ａ，１Ｂ  グロメット
４  嵌合部
４ａ  蛇腹形状の部分
５  第１挟持部
６  第２挟持部
７  電線挿通孔
１０，１０′  パネル
１１  取付孔
１２  嵌合部
Ｄ  嵌合部の幅寸法
【図１】
2006120413.tif 000003
【図２】
2006120413.tif 000004
【図３】
2006120413.tif 000005
【図４】
2006120413.tif 000006
【図５】
2006120413.tif 000007
【図６】
2006120413.tif 000008
【図７】
2006120413.tif 000009
【図８】
2006120413.tif 000010
【図９】
2006120413.tif 000011
【図１０】
2006120413.tif 000012